(57)【要約】【課題】土台を省略して、基礎に埋設した簡易な柱脚固定金物で強固な軸組構造を構築できる。容易に高床式住居とし、床下を有効活用する。【解決手段】コンクリート製の基礎３７の上面３８から断面Ｔ字状の柱脚固定金物３０の上部３を突出させ、基礎３７の上面３８に、土台を介さず、柱４０を立設し、柱脚固定金物３０の上部３と柱４０の柱脚を固定する。基礎３７の上面３８から約５ｃｍを空けて根固め用横架材４５を架設して、両端部を柱脚固定金物３０に固定する。根固め横架材４５の上方に位置する根太用横架材５４を、柱４０に架設し固定金物３２を介して固定する。柱４０の上端部に梁４７を架設し固定金物３２を介して固定する。壁５５Ａ、５５Ｂ、５５Ｃ、５５Ｄに筋かい５２を固定する。筋かい５２の両端部を柱脚固定金物３０、固定金物３２固定し、軸組み構造５０とする。根太用横架材５４上に床を張れば高床式の構造にできる。【選択図】図５
2004150186.tif 000002
【特許請求の範囲】
【請求項１】
コンクリート製の基礎の上面に、横方向に所定間隔を空けて並列して立設した柱の下面を固定し、
前記隣接する柱の下端部間に第一下部横架材を架設固定し、前記隣接する柱の上端部を上部横架材で固定し、
前記柱及び各横架材で囲まれた面の１つ又は複数に、筋かいを固定し、あるいは壁パネルを固定してなり、
前記柱と基礎との固定は、下部を基礎に埋設した柱脚固定金物を前記柱の側面に固定してなすことを特徴とする木造建造物の軸組構造。
【請求項２】
コンクリート製の基礎の上面に、横方向に所定間隔を空けて並列して立設した柱の下面を固定し、
前記隣接する柱の下端部間に第一下部横架材を架設固定し、
前記隣接する柱の下端部間で、該第一下部横架材から上方に所定間隔を空けて、第二下部横架材を架設し、
前記隣接する柱の上端部を上部横架材で固定し、
前記柱と各横架材とで囲まれた面の１つ又は複数に、筋かいを固定し、あるいは壁パネルを固定し、
前記柱と第一下部横架材及び第二下部横架材とで囲まれた面の１つ又は複数に、筋かいを固定し、あるいは壁パネルを固定し、
前記柱と基礎との固定は、下部を基礎に埋設した柱脚固定金物を前記柱の側面に固定してなすことを特徴とする木造建造物の軸組構造。
【請求項３】
柱の側面に固定するフランジと、該フランジの中央部に直交して補強リブを連設して断面Ｔ字状の基部を形成し、該基部の上部を基礎から突出し、下部を基礎内に埋設して構成し、
前記フランジの下部の一部分を補強リブとは反対側に屈曲し、前記下部に基礎用の鉄筋を貫通する開口を形成して、
前記基部の上部に横架材の受け材を水平方向に取り付けて柱脚固定金物を構成したことを特徴とする請求項１又は２記載の木造建造物の軸組構造。
【請求項４】
フランジと、該フランジの中央部に直交して補強リブを連設して断面Ｔ字状の基部を形成して固定金物を構成し、
フランジを柱の側面に固定し、前記補強リブを、上部横架材に形成した接合切欠きに嵌挿し、補強リブと上部横架材とを固定したことを特徴とする請求項１又は２記載の木造建造物の軸組構造。
【発明の詳細な説明】
【０００１】
【発明の属する技術分野】
この発明は、コンクリート製の基礎の上面に、土台を介さず直接に、柱を立設して、強度を高めた木造建造物の軸組構造に関する。
【０００２】
【従来の技術】
従来、木造建造物では、コンクリート製の基礎の上面に土台を架設し、土台とは基礎に埋設したアンカーボルトに固定していた。そして、基礎と土台とを各種金物で固定していた。あるいは、基礎に埋設したアンカーボルトを、土台を貫通させて、柱に固定したホールダウン金物と称する金物に固定することもなされていた。
【０００３】
いずれしても、基礎上の土台に柱の上面を載せていた。また、柱脚部の基礎への固定方法は種々提案させているが、いずれも土台を必須の部材としてとらえていた（例えば、特許文献１、２）。
【０００４】
【特許文献１】特開平１０−２５８３２
【０００５】
【特許文献２】特開２００１−１４６７９２
【０００６】
【発明が解決しようとする課題】
土台は、個々の柱を基礎に固定すると共に並列する柱脚部を相互に固定する機能を有し、更には、床を構築する際に架設する根太の端部を固定する機能を有すると考えられる。
【０００７】
前記従来の技術では、柱は、最終的に基礎に固定されれば、構造的には十分であるにも関わらず、土台を介して基礎に固定されるので、基礎−土台、土台−基礎の夫々で、固定金物類を要し、筋かい固定の金物も必要とされていた。従って、各金物類自体が納まらず、また各金物類の取付用のボルト、ピン、釘等が干渉すると共に、金物に応じた各木造部材の断面欠損も生じ、接合部の強度を充分に発揮できない問題点があった。
【０００８】
【課題を解決するための手段】
然るにこの発明では、根太用の横架材を別途架設し、土台を省略して基礎と柱を直接に接合したので、前記問題点を解決し、合理的な接合構造が実現した。
【０００９】
即ち、この発明は、コンクリート製の基礎の上面に、横方向に所定間隔を空けて並列して立設した柱の下面を固定し、前記隣接する柱の下端部間に第一下部横架材を架設固定し、前記隣接する柱の上端部を上部横架材で固定し、前記柱及び各横架材で囲まれた面の１つ又は複数に、筋かいを固定し、あるいは壁パネルを固定してなり、前記柱と基礎との固定は、下部を基礎に埋設した柱脚固定金物を前記柱の側面に固定してなすことを特徴とする木造建造物の軸組構造である。
【００１０】
また、他の発明は、コンクリート製の基礎の上面に、横方向に所定間隔を空けて並列して立設した柱の下面を固定し、前記隣接する柱の下端部間に第一下部横架材を架設固定し、前記隣接する柱の下端部間で、該第一下部横架材から上方に所定間隔を空けて、第二下部横架材を架設し、前記隣接する柱の上端部を上部横架材で固定し、前記柱と各横架材とで囲まれた面の１つ又は複数に、筋かいを固定し、あるいは壁パネルを固定し、前記柱と第一下部横架材及び第二下部横架材とで囲まれた面の１つ又は複数に、筋かいを固定し、あるいは壁パネルを固定し、前記柱と基礎との固定は、下部を基礎に埋設した柱脚固定金物を前記柱の側面に固定してなすことを特徴とする木造建造物の軸組構造である。
【００１１】
前記において、柱の側面に固定するフランジと、該フランジの中央部に直交して補強リブを連設して断面Ｔ字状の基部を形成し、該基部の上部を基礎から突出し、下部を基礎内に埋設して構成し、前記フランジの下部の一部分を補強リブとは反対側に屈曲し、前記下部に基礎用の鉄筋を貫通する開口を形成して、前記基部の上部に横架材の受け材を水平方向に取り付けて柱脚固定金物を構成したことを特徴とする木造建造物の軸組構造である。更に、フランジと、該フランジの中央部に直交して補強リブを連設して断面Ｔ字状の基部を形成して固定金物を構成し、フランジを柱の側面に固定し、前記補強リブを、上部横架材に形成した接合切欠きに嵌挿し、補強リブと上部横架材とを固定したことを特徴とする木造建造物の軸組構造である。
【００１２】
前記における上部横架材は、主に梁を指すが、柱の上面（上端部）に固定し、あるいは柱の上端部側面（上端部）に固定される横架材で、隣接する柱の上端部を連結する機能を有すれば、その名称は問わない。
【００１３】
【発明の実施の形態】
（１）  図５に基づいて、この発明の実施形態を説明する。
【００１４】
この発明で使用する柱脚固定金物３０、固定金物３２は、柱に固定するフランジ６の軸方向中央に補強リブ７を連設してなる断面Ｔ字状に形成された基部１に、接合に必要な、透孔１８、１９を穿設して構成される（図１）。柱脚固定金物３０で、基礎３７内に埋設される下部２には、コンクリートとの定着を増し、基礎用の鉄筋３５との干渉を未然に防止する為に、開口８、９、１０、透孔１８、１６が穿設されている（図１）。
【００１５】
コンクリート製の基礎３７の上面３８から、柱４０、４０の構築位置で、柱脚固定金物３０の上部３を突出させ、柱脚固定金物３０、３０のフランジ６に柱４０の側面４１を当接して、木ねじ又はスクリューボルト等で固定する。
【００１６】
基礎３７の上面３８から所定距離（床下の通気を確保するのに必要な高さ。例えば５ｃｍ）を空けて根固め用横架材（第一下部横架材）４５を架設して、根固め用横架材４５の両端部を柱脚固定金物３０の補強リブ７に固定する。また、根固め用横架材４５の上方（地面３８から１４０ｃｍ以下）に根太受け用横架材５４を架設して、予め柱４０に固定された固定金物３２、３２の補強リブ７に固定する。
【００１７】
両側の柱４０、４０の上端部に固定金物３２を固定し、柱４０、４０間に梁（上部横架材）４７を架設し、固定金物３２の補強フランジ７に固定する。中間部の柱４０、４０の上面は、梁４７の下面に当接し、接合部に補強金物５１、５１を固定する。
【００１８】
柱４０、４０と根固め用横架材４５、根太受け用横架材５４で囲まれた壁の内、両側の壁５５Ａ、５５Ｂに筋かい５２を固定する。また、柱４０、４０と根太受け用横架材５４、梁４７で囲まれた壁の内、両側の壁５５Ｃ、５５Ｄに筋かい５２を固定する。筋かい５２、５２は、筋かい５２の両端部を柱脚固定金物３０又は固定金物３２の補強リブに固定され、必要ならば補助鋼板（筋かいプレート）５３を使用する。この際、新たな筋かい固定金物（主に立体構造）が不要であるので、隅部の納まりが良い。
【００１９】
以上のようにして、軸組構造５０を構築する（図５）。図中５６は間柱である。
【００２０】
（２）従来の軸組工法では、布基礎の地面からの立ち上がりは２４ｃｍ以上と定められており（土間コンクリート床の場合は、地面から３０ｃｍ）、これにより、基礎３７の上面３８は通常地面から３０〜４５ｃｍとなっていた。前記軸組構造５０では、基礎３７上に土台を廃止して、直接に柱４０を立て、根固め用横架材４５を基礎３７の上面３８から５ｃｍ程度浮かせると共に、根太受け用横架材５４を架設固定した。
【００２１】
このように形成した軸組構造５０では、柱脚固定金物３０で、柱４０の柱脚が基礎３７に完全に固定され、隣接する柱４０も同様に固定されるので、安全に固定される。また、根太受け用横架材５４、根固め用横架材４５間は、筋かい５２で格子を保つので、根太受け用横架材５４、根固め用横架材４５間全体で、柱４０の柱脚を強固に接合する。また、根太受け用横架材５４上に、根太を張り、１階床を構築すれば、高床式の木造建造物とすることができ、根太受け用横架材５４の下方を利用価値のある床下とすることができる。
【００２２】
即ち、
○窓の位置が高く、日当たりが良くなり日照問題の改善に役立つ。
○窓からの眺望が良くなる。
○開口部の位置が高くなるので、外から覗かれない。
○防犯効果やプライバシーの保護が期待できる。
○床下の通気が良くなり、防腐、防蟻に有効である。
○配管・配線等の床下での設備のメンテナンスが容易となる。
○床下が多目的に活用できる。
○耐震性の向上が期待できる。
等の利点がある。また、床下の活用として、以下の事項が考えられる。
○納戸の仕様（断熱、結露対策、内装仕上げ）とすれば、衣類、電気製品等の季節物の収容室としての利用、衣類、布団等の乾燥室としての利用、趣味の部屋（音楽、映画、アトリエ、ワインセラー等）としての利用が可能である。
○物置き程度の利用も可能である。例えば、エアコンの室外機、大型冷蔵庫の置き場、自転車・バイク・乳母車等の置き場、園芸、家庭大工等の作業場として利用できる。
○また、蓄熱層、空調調節室名祖への利用も可能である。
【００２３】
（３）以上のように構成した軸組構造５０の耐力を試験した。
【００２４】
○柱４０：集成材１２０×１２０ｍｍ
梁４７：集成材１２０×３００ｍｍ
根固め用横架材４５：集成材  １２０×１２０ｍｍ
根太受け用横架材５４：集成材  １２０×１２０ｍｍ
筋かい５２：４５×９０ｍｍ
○柱４０、４０の間隔：９１０ｍｍ
根固め用横架材４５と根太受け用横架材５４の間隔：９１０ｍｍ
根固め用横架材４５と梁４７の間隔：２７３０ｍｍ
の仕様で、梁４７の高さで水平荷重Ｐを繰り返し作用させた場合（図６。試験体ＨＦ−Ｓ−１）、最大で、
Ｐ＝２７．６ｋＮ
の耐荷重が認められた（図７）。
【００２５】
（４）また、前記実施態様（図５）で、壁５５Ａ、５５Ｂの筋かい５２、５２をクロス状に２本づつ取り付け、更に壁５５Ｅにもクロス状に筋かい５２、５２を取り付けて、軸組構造５０を構成することもできる（図８）。この場合、前記と同様の仕様で、梁の高さで水平荷重Ｐを作用させた場合（図９。試験体ＨＦ−Ｗ−１）、最大で、
Ｐ＝３２．３ｋＮ
の耐力が認められた（図１０）。
【００２６】
【実施例１】
図１〜図４、図１１に基づきこの発明の実施例を説明する。
【００２７】
［１］柱脚固定金物３０の構成
【００２８】
（１）  柱脚固定金物３０は、フランジ６の中央部に軸方向の補強リブ７を突設してなる断面略Ｔ字状の基部１を形成する。基部１で、埋設予定のコンクリート製の基礎３７の上面３８に位置する線を横中心線４とし、基礎３７内に埋設される部分を下部２、基礎の上方に突出する部分を上部３とする（図１（ｂ）、図４（ａ））。また、柱脚固定金物３０は防錆処理（例えば亜鉛メッキ）を施してしてある。
【００２９】
また、上部３のフランジ６に、横中心線４の目印となる開口８がフランジ６の両側縁から中間部まで形成されている。また、上部３のフランジ６に、柱４０と固定するための透孔１８、１８が、縦方向に並列してかつ左右で高さを違えると共に、上下に位置する透孔１８、１８でも位置を違えて形成されている（図１（ｂ））。また、上部３の補強リブ７に、横架材と接合する為の透孔１９が夫々形成されている。また、筋かいを固定する場合には、上部３が３ａまで延長され、フランジ６に筋かいと固定する為の透孔２０が穿設される（図１（ｃ）鎖線図示３ａ、２０）。各透孔１８、１９、２０は、ボルト、ピン、釘等の挿通する固定手段の形状に合わせて形成してある。
【００３０】
また、下部２の中間部、及び下端部にフランジ６の全部を切り欠いた開口９、１０が夫々形成されている。開口８、９、１０により、フランジ６の下部２は、フランジ部材１１、１２、１３に分割され、フランジ部材１１、１２は、中間部の縦線１４から約４５度の角度で、外方（補強リブ７の反対側）に折り曲げられている。ここで、フランジ部材１１、１２の折り曲げは基礎コンクリートにクラックが生じるおそれを排除し、基礎の側面部分でのコンクリートのかぶり厚を充分に確保するためになされ、折り曲げ角度は、３０度〜９０度（より良くは４５度〜９０度）で上記目的を達するように調節される。尚、最も下に位置するフランジ片１３は小片であり、クラック等に与える影響が少ないと考えられ、柱脚固定金物３０を設置する際の作業性を優先して、折り曲げ加工をしない。
【００３１】
また、フランジ部材１２の折り曲げ線１４に沿って、円形の透孔１５、１５が縦に並列して穿設されている。また、下部２の補強リブ７で、フランジ部材１２に相当する高さに透孔１６、１６を穿設する。
【００３２】
前記開口８、９、１０及び透孔１６により、該部でコンクリートがつながり、コンクリート製の基礎３７内での付着力が増す。また、開口９、１０内を利用して、基礎用の鉄筋３５、を挿通させることができ、基礎用の鉄筋３５の配筋に支障が無い（図１（ｂ）（ｃ）鎖線図示３５）。
【００３３】
（２）  以上のような構成の柱脚固定金物３０は、予め所定の透孔１５、１６、１８、１９等、開口８、９、１０等が穿設された所定形状の板材を形成し、縦中心線（補強リブ７の稜線）５の両側を補強リブ片７ａ、７ａ、補強リブ片７ａの外側に夫々フランジ片を形成してある（図１（ａ）参照）。板材をプレスにより、補強リブ片６ａとフランジ片７ａの境界を９０度に屈曲し、その後、縦中心線５に沿って補強リブ片７ａ、７ａを９０度の角度で屈曲し、更に両補強リブ片７ａ、７ａが重ねるようにプレス作業をして形成する。従って、重ねた補強リブ片７ａ、７ａから補強リブ７を形成し、補強リブ７ａ、７ａを挟んで分離されたフランジ片６ａ、６ａからフランジ６を構成する。尚、屈曲する前の板材の状態で防錆処理を完了させておくことが望ましい。
【００３４】
（３）  また、柱脚固定金物３０で、根固め用横架材（第一下部横架材）の下面位置に合わせて、フランジ６の上部３及び補強リブ６の上部２に切欠き２２、２３を夫々形成し、切欠き２２、２３に受け板２４を取付ける。受け板２４は、差込側の縁で、中央部にフランジ６の切欠き２２に嵌合する切り欠き２５、補強リブ６の切り欠き２３に嵌挿する突起２６、２６が夫々形成されている。
【００３５】
［２］固定金物３２
【００３６】
固定金物３２も柱脚固定金物３０と同様で、フランジ６の中央部に軸方向の補強リブ７を突設してなる断面略Ｔ字状の基部１を形成する。基部１の長さは、上端を梁の上面に留める場合、梁から突出させる場合により異なる仕様となる。
【００３７】
通し柱の中央高さで側面に梁（上部横架材）を接合する場合に使用する固定金物では、基部１の補強リブ７の中央部に梁と固定する為の透孔が穿設され、その上下のフランジ６には、柱４０と固定する為の透孔が穿設されている。また、柱４０の上端部側面に梁４７を接合する場合に使用する固定金物３２では、基部１の補強リブ７の上端部に梁４７と固定する為の透孔が穿設され、その下方のフランジ７には、柱４０と固定する為の透孔が夫々穿設されている。各透孔は、ボルト、ピン、釘等の挿通する固定手段の形状に合わせて形成してある（図示していない）。
【００３８】
尚、固定金物３２も柱脚固定金物３０と同様で、透孔を穿設した板材をプレスにより折り曲げて形成する（図示していない）。
【００３９】
［３］軸組構造５０
【００４０】
（１）  基礎３７の構築位置に合わせて、基礎用の型枠３４、３４を立設し、基礎用の型枠３４、３４に柱脚固定金物３０の位置（柱４０の位置等）に対応させて墨出しし、墨出し位置に合わせて、柱脚固定金物３０を仮止めした設置用治具（図示していない）を基礎用型枠３４、３４の上端部に仮止めする。通常は１つの柱４０に対して２つの柱脚固定金物３０、３０で挟むように配置する。従って、直線部分では、柱４０の対向する側面４１、４１に配置し（図３（ａ））、隅部では、柱４０の隣接する側面４１、４１に配置する（図示していない）。
【００４１】
柱脚固定金物４０を仮止めした設置用治具の設置に並行して、あるいはその前又は後に、型枠３４、３４内に基礎用鉄筋３５、３５を配筋する。この際、必要ならば柱脚固定金物３０の開口９、１０に鉄筋を挿通すれば、基礎用鉄筋３５と柱脚固定金物３０の下部３との干渉を防止できる。
【００４２】
その後、型枠３４、３４内にコンクリートを打設して、固化発現後、型枠３４、設置用治具を取り外せば、基礎３７の構築が完了し、基礎の上面から、柱脚固定金物の上部３が突出する（図３（ｂ）、図４（ａ））。また、必要ならば、基礎３７の上面３８を整える処理を施す。
【００４３】
尚、前記において、設置用治具は、型枠３４に固定される型枠取付具に、柱脚固定金物３０を支持した支持具を取付けて構成することもできる（図示していない）。
【００４４】
（２）  続いて、柱脚固定金物３０に受け板２４を差し込み取り付ける（図３（ｂ）、図４（ａ））。受け板２４は、基礎の上面から５ｍｍ程度の位置に配置される。
【００４５】
続いて、下面４２に銅板を添えた柱４０を、基礎３７の上面３８に直接載置し、柱４０の側面４１と柱脚固定金物３０のフランジ６が当接するので、フランジ６の透孔１８、１８から木ねじ（ビス）類又はスクリューボルト等を打ち込み、柱脚固定金物３０、３０と柱４０とを接合する（図３（ｃ）、図４（ｂ））。柱４０は、集成材から構成し、柱脚部には、切欠きやほぞ穴等を形成しないので、断面欠損が生じていない。
【００４６】
前記において、隣接する柱４０、４０間が長い部分では、短柱４３を立設するので、短柱４３の位置に対応する位置に、予め同様に柱脚固定金物３０、３０を設置してあり、柱脚固定金物３０に短柱４３を固定する。
【００４７】
また、前記において柱４０の下面と基礎３７の上面３８の間に銅板が挟まれているので、柱４０がこ口（下面４２）から水分を吸うことを防止できる。また、銅板に小凹凸を形成して隙間が空くように形成されている。尚、銅板を下面を含む下端部全体に巻くこともでき、銅板に代えて他の材料を採用することもできる。
【００４８】
（３）  続いて、柱４０又は短柱４３間に、柱脚固定金物３０に合わせて両接合端に切り欠き４６を形成した根固め用横架材（第一下部横架材）４５、４５を架設し、切欠き４６を柱脚固定金物３０に嵌合させる。続いて、根固め用横架材４５の側面からピンを打ち込み、補強リブ７の透孔１９を貫通させる。短柱４３の上面は根固め用横架材４５の上面と面一に形成される。短柱４３を使用したので、根固め用横架材４５、４５は、短い長さ（例えば９０ｍｍ）程度で済むので、作業が容易であり、コストも抑えられる。
【００４９】
（４）  続いて、柱４０の中間部に梁用の固定金物３２、３２を固定し、柱４０、４０間に接合面に切欠き（切欠き４６と同一形状）を形成した梁４７を架設し、梁４７の側面からピンを打ち込み、固定金物３２の透孔１９を貫通させて、柱４０に梁４７、４７を接合する。同様に、柱４０の上端部に２階用の梁４７、４７を固定金物３２を介して、架設固定する。
【００５０】
（５）  続いて、壁を強化する部分では（構造上必要な壁剛性の確保が必要な部分）、柱４０、４０と根固め用横架材４５、梁４７で囲まれた部分、柱４０、４０と梁４７、４７で囲まれた部分に、壁パネル４９を固定する。
【００５１】
以上のようにして、この発明の軸組構造５０を構築する（図１１）。この軸組構造５０は、２階建て建造物を形成する（図１４）。
【００５２】
（６）前記軸組構造を、前記と同様の部材仕様で、
○構造パネル：構造用合板、厚さ９ｍｍ
○中央の柱４０、４０間の間隔：３６４０ｍｍ
○根固め用横架材４５から２階の梁４７間での高さ：５３７０ｍｍ
として、２階梁に水平荷重Ｑを作用させた場合（図１２）、最大で、
Ｑ＝４１．０ｋＮ
の耐荷重が得られた（図１３）。
【００５３】
（７）前記において、壁パネル４９に代えて又は壁パネル４９と共に、筋かい５２を固定する場合には、補強リブ７に筋かい４９の透孔と補強リブの透孔２０とにボルトを挿入して固定する（図５、９参照）。透孔の形状・大きさは、使用する固定手段（釘、ビス、ボルト等）により適したものとする。
【００５４】
［３］他の実施例
【００５５】
（１）  前記実施例において、柱脚固定金物は板材を屈曲して形成したが、断面Ｔ字状に形成できれば、フランジ６と補強リブ７とを別部材として、溶接して一体に構成することもできる（図示していない）。
【００５６】
（２）  また前記実施例において、図５のように、根太受け用横架材５４、５４を架設して、高床式とすることもできる（図１４）。また、ここで、高床部分を筋かい５２をクロスに入れることもできる（図８参照）。また、高床部分に、筋かい５２に代えて、壁パネル４９を固定することもできる（図１６）。
【００５７】
（３）  また、前記実施例において、柱脚固定金物３０を使用することが望ましいが、柱脚を基礎３７に同等又はそれ以上の強度で固定できれば、他の金物を使用することもできる（図示していない）。また、固定金物３２も同様に他の構造のものを採用することもできる（図示していない）。
【００５８】
【発明の効果】
この発明は、柱の下面を基礎に当接し、柱脚固定金物で互いに固定したので、土台を省略して、簡易な柱脚固定金物で強固な軸組構造を構築できる効果がある。
【００５９】
また、第一下部横架材の上方に第二下部横架材を架設した場合には、第二下部横架材に根太を架設して、１階床を構築できるので、高床式構造として、両横架材間で、柱脚部を更に強固に基礎に固定でき、第二下部横架材の下方を床下スペースとしてを有効活用できる効果がある。
【図面の簡単な説明】
【図１】この発明の実施例に使用する柱脚固定金物で、（ａ）は平面図、（ｂ）は正面図、（ｃ）は左側面図である。
【図２】（ａ）は図１のＡ−Ａ線における断面図、（ｂ）は同じくＢ−Ｂ線における断面図、（ｂ）は同じくＣ−Ｃ線における断面図である。
【図３】この発明の柱脚の固定を説明する平面図で、（ａ）は基礎の構築前、（ｂ）は基礎の構築後、（ｃ）は柱の立設後、（ｄ）は根固め用横架材の構築後を夫々表す。
【図４】同じく正面図で、（ａ）は基礎の構築後、（ｂ）は柱の立設後を夫々表す。
【図５】この発明の実施例の正面図である。
【図６】この実施例を適用した試験体の正面図
【図７】この試験体により荷重−変位包絡線及び完全弾塑性モデルのグラフである
【図８】この発明の他の実施例の正面図である。
【図９】この実施例を適用した試験体の正面図
【図１０】この試験体により荷重−変位包絡線及び完全弾塑性モデルのグラフである
【図１１】この発明の他の実施例の正面図である。
【図１２】この実施例を適用した試験体の正面図
【図１３】この実施例を試験体にして試験をした層せん断力−層間変位曲線のグラフである。
【図１４】この発明の実施例で構築した木造建造物の概略図である。
【図１５】同じく他の実施例で構築した木造建造物の概略図である。
【図１６】また、他の実施例の正面図である。
【符号の説明】
１    基部
２    基部の下部
３    基部の上部
４    横中心線
５    縦中心線
６    フランジ
６ａ  フランジ片
７    補強リブ
７ａ  補強リブ片
８    開口（下部、フランジ）
９    開口（下部、フランジ）
１０  開口（下部、フランジ）
１１  フランジ部材
１２  フランジ部材
１３  フランジ部材
１４  縦線（フランジ部材）
１５  透孔（下部、フランジ）
１６  透孔（下部、補強リブ）
１８  透孔（上部、フランジ）
１９  透孔（上部、補強リブ）
２０  透孔（上部、補強リブ）
２２  切欠き（フランジ）
２３  切欠き（補強リブ）
２４  受け板
２５  切欠き（受け板）
２６  突起（受け板）
３０  柱脚固定金物
３２  固定金物
３４  型枠
３５  基礎用鉄筋
３７  コンクリート製の基礎
３８  基礎の上面
４０  柱
４１  柱の側面
４２  柱の下面
４３  短柱
４５  根固め用横架材（第一下部横架材）
４６  切欠き
４７  梁（上部横架材）
４９  壁パネル
５０  軸組構造
５１  補強金物
５２  筋かい
５３  補助鋼板
５４  根太受け用横架材（第二下部横架材）
５５Ａ〜５５Ｅ  壁
５６  間柱
【図１】
2004150186.tif 000003
【図２】
2004150186.tif 000004
【図３】
2004150186.tif 000005
【図４】
2004150186.tif 000006
【図５】
2004150186.tif 000007
【図６】
2004150186.tif 000008
【図７】
2004150186.tif 000009
【図８】
2004150186.tif 000010
【図９】
2004150186.tif 000011
【図１０】
2004150186.tif 000012
【図１１】
2004150186.tif 000013
【図１２】
2004150186.tif 000014
【図１３】
2004150186.tif 000015
【図１４】
2004150186.tif 000016
【図１５】
2004150186.tif 000017
【図１６】
2004150186.tif 000018